(57)【要約】【課題】現場にてパネルを容易且つ安定に装着でき、支柱とパネル表面との間に段差が生じなく、パネル自体の優れた外観性が維持されるとともに、支柱に対するパネル設置角を任意方向に自由に決定できる間仕切パネルにおけるパネル取付角度の調節構造を提供せんとする。【解決手段】支柱５に断面円弧状の外周面５３を形成するとともに、外周面５３に対して周方向に位置変更可能に当接する連結部材６の支柱外周方向に沿った端部にパネル側端部７ｃを固定する凹部６２を形成し、連結部材６を支柱５の外周所定の角度位置にネジ止めし、凹部６２にパネル側端部７ｃを固定することにより連結部材６を介してパネル７を支柱間空間より外方位置にて所定の方向に取付けた。【選択図】          図３
2004211393.tif 000002
【特許請求の範囲】
【請求項１】
天井と床面の間に支柱を適宜離間して立設し、これら立設した支柱間毎にパネルを装着してなる間仕切パネルにおいて、前記支柱に断面円弧状の外周面を形成するとともに、該外周面に対して周方向に位置変更可能に当接する連結部材の当該支柱外周方向に沿った端部にパネル側端部を固定する凹部を形成し、前記連結部材を前記支柱の外周所定の角度位置にネジ止めし、前記凹部にパネル側端部を固定することにより連結部材を介して当該パネルを支柱間空間より外方位置にて所定の方向に取付けてなることを特徴とする間仕切パネルにおけるパネル取付角度の調節構造。
【請求項２】
前記連結部材に、前記支柱の外周面に対して摺動する当接片を設け、該当接片の摺動により当該連結部材を所定の角度位置に設定してなる請求項１記載の間仕切パネルにおけるパネル取付角度の調節構造。
【請求項３】
前記支柱の外壁に設けた凹溝の底面に前記当接片が摺動する外周面を構成し、当該外周面により前記当接片を凹溝内において周方向に摺動案内してなる請求項２記載の間仕切パネルにおけるパネル取付角度の調節構造。
【請求項４】
前記パネルがガラスパネルである請求項１〜３の何れか１項に記載の間仕切パネルにおけるパネル取付角度の調節構造。
【発明の詳細な説明】
【０００１】
【発明の属する技術分野】
本発明は、間仕切パネルにおけるパネル取付角度の調節構造に係わり、更に詳しくは天井と床面の間に支柱を適宜離間して立設し、これら立設した支柱間毎にパネルを装着してなる間仕切パネルにおけるパネル取付角度の調節構造に関する。
【０００２】
【従来の技術】
従来、天井と床面の間に支柱を適宜離間して立設し、これら立設した支柱間毎にパネルを装着してなる間仕切パネルは各種提供されており、特に、透明なガラスパネルを装着したガラス間仕切構造として、左右の縦桟及び上桟、下桟によって枠組された枠体の内面略中央部に形成した凹溝にガスケットを介してガラスパネルを止着してなるものや、同じく縦桟と上下の桟からなる枠体の正面外周辺部にガラス溝を形成し、該ガラス溝にガラスパネルを嵌込み、正面にはガラス溝の縁のみ露出するとともにガラス面とほぼ同一面とし、ガラスの裏面には大きな空間を形成してなるガラス間仕切構造が提案されている（例えば、特許文献１参照。）。
【０００３】
前記枠体内面の略中央部の凹溝にガラスパネルを装着したものでは、予め据付けた枠体にガラスパネルを装着するため、その止着作業が面倒であるとともに、凹溝に嵌着したガスケットを介して支持されるため安定性を欠き、更に、枠体の各桟とパネル表面との間には段差が生じ、外観上の問題が生じるといった問題もあった。一方、枠体の正面外周辺部にガラスパネルを装着するものでは前記段差が生じなく、当該段差による外観上の問題は解決できるものの、ガラスパネルは前記枠体を組立てする工程において予めガラス溝に嵌込まれたものを据付け現場にて当該枠付きパネルを天レール、地レール及びスタッドに取付ける構造であり、製造や管理のコストが嵩むとともに搬送効率も低下するといった問題があり、更には、当該枠付きパネルのスタッドへの取付けはパネル正面側から目地材等で直接スタッドに固定する構造であり、外観上の問題があるとともにパネルを設置する角度等の施工上の自由度が小さいといった問題があった。
【０００４】
一方、近年のオフィスビルはデザイン上、平面視四角形以外に円形や楕円形、多角形、これらの組合せ等の種々の新規形状を採用する傾向にあり、これに応じて各フロアの通路も前記多角形等に沿った形状となり、これら通路と部屋を区切る間仕切パネルとして任意な方向に自由に角度調節できるものが求められている。このような角度調節手段として、従来、単又は複数のヒンジ部を備えた種々の連結具が提案されているが（例えば、特許文献２参照。）、これら連結具にはパネルを支える支持強度はなく、パネルを支持している支柱同士を前記連結具を介して接続するものであり、各支柱はそれぞれ天井や床面に別途固定する必要があり、特に比較的重いガラスパネルを枠体の正面外周辺部に装着する間仕切パネルでは、該パネルを支持する十分な強度を有する支柱を備えることが前提となるのであり、この場合前記ヒンジ部を備えた連結具でガラスパネルを支持することは到底できず、支持したとしても従来の連結具を天井や床面に固定するための構造は複雑となる。
【０００５】
【特許文献１】
特開平１０−８８７１２号公報
【特許文献２】
米国特許第４６６３８９６号明細書
【０００６】
【発明が解決しようとする課題】
そこで、本発明が前述の状況に鑑み、解決しようとするところは、天井と床面の間に適宜離間して立設された支柱を枠体として、これら支柱間毎に現場にてパネルを容易且つ安定に装着でき、前記枠体としての支柱とパネル表面との間には段差が生じなく、パネル自体の優れた外観性が維持されるとともに、当該支柱に対するパネルの設置角を任意な方向に自由に決定できる間仕切パネルにおけるパネル取付角度の調節構造を提供する点にある。
【０００７】
【課題を解決するための手段】
本発明は、前述の課題解決のために、天井と床面の間に支柱を適宜離間して立設し、これら立設した支柱間毎にパネルを装着してなる間仕切パネルにおいて、前記支柱に断面円弧状の外周面を形成するとともに、該外周面に対して周方向に位置変更可能に当接する連結部材の当該支柱外周方向に沿った端部にパネル側端部を固定する凹部を形成し、前記連結部材を前記支柱の外周所定の角度位置にネジ止めし、前記凹部にパネル側端部を固定することにより連結部材を介して当該パネルを支柱間空間より外方位置にて所定の方向に取付けてなることを特徴とする間仕切パネルにおけるパネル取付角度の調節構造を構成した。
【０００８】
ここで、前記連結部材に、前記支柱の外周面に対して摺動する当接片を設け、該当接片の摺動により当該連結部材を所定の角度位置に設定してなるものが好ましく、より詳しくは、前記支柱の外壁に設けた凹溝の底面に前記当接片が摺動する外周面を構成し、当該外周面により前記当接片を凹溝内において周方向に摺動案内してなるものが好ましい。
【０００９】
本発明のパネル取付角度の調節構造は、前記パネルがガラスパネルである場合に好適であり、ここに前記ガラスパネルとはガラスよりなるパネル以外にガラス相当の薄板材からなるパネルも含まれる。
【００１０】
【発明の実施の形態】
次に、本発明の実施形態を添付図面に基づき詳細に説明する。
【００１１】
図１は、本発明に係る間仕切パネルの全体構成を示し、図２は同じく間仕切パネルの分解斜視図を示し、図３〜７は本発明の詳細を示し、図中符号１は天レール、２は地レール、３は笠木、４は巾木、５は支柱、６は連結部材、７はパネル、８はベース材、９は取付具をそれぞれ示している。
【００１２】
本発明に係る間仕切パネルは、天井と床面の間に、支柱５を適宜離間して立設し、前記支柱５、５間の天井に天レール１を配設し、同じく支柱５、５間の床面に地レール２を配設し、前記天レール１の外面下部を覆う笠木３と前記地レール２の外面上部を覆う巾木４を設け、これら立設した支柱５、５、笠木３及び巾木４よりなる枠体にパネル７を装着した構造のものである。支柱５は、該天井又は床面に固定したベース材８にて上端又は下端を支持して立設した構造である。また、パネル７の側端部は、支柱５の外周所定の角度位置にネジ止めした連結部材６に対して取付具９により支持させた構造である。また、パネル７の上下端部は、支柱５の連結部材６に固定した巾木４にパネル７の下端を支持させるとともに、笠木３を天レール１に外嵌した状態で上方に移動させ、支柱に沿った立起状態のパネル７に対してその上端に前記笠木を下降係合してなる構造である。
【００１３】
前記天レール１は、上面板１１と表裏両垂下板１２、１２とからなる下方開放した断面略コ字形の長尺部材であり、その凹溝部１３を下方へ向けて上面板１１を天井にネジ止め固定している。また、地レール２は、下面板２１と表裏両立上板２２、２２とからなる上方開放した断面略コ字形の長尺部材であり、その凹溝部２３を上方へ向けて下面板２１を床面にネジ止め固定している。
【００１４】
また、前記笠木３及び前記巾木４は、それぞれ前記天レール１の外面下部及び前記地レール２の外面上部を長手方向に渡って覆う部材であり、その側面には、それぞれパネル７の上端７ａ及び下端７ｂを係合支持する断面略Ｌ字形の上部支持片３１及び下部支持片４１が長手方向に渡り突設されている。また、前記笠木３及び前記巾木４には、それぞれ端部へ開放した嵌合溝３０、４０が長手方向に渡って形成されている。尚、本実施形態ではアルミニウムの押出し成形品を用いているが、その他スチール製の成形品等であっても良く、また、この嵌合溝３０、４０は後述のアングル材３２、４２を嵌挿して前記笠木３及び巾木４の端部を連結部材６に固定するためのものであり、当該端部にのみ形成しても良い。
【００１５】
そして、前記支柱５は、前記パネル７を直接又は連結部材６を介して側面で支持する内部中空の支柱本体５０と、該支柱本体５０の同じく側面に突設された内部中空の支持固定部５１とより構成され、前記支柱本体５０に、断面円弧状の内周面５２及び外周面５３を形成した構造である。本実施形態ではアルミニウムの押出し成形品を用いたが、同様の機能を有するスチール製の折り曲げ成形品でも良く、一体物でもまた二部材以上を組合せた複合物でも良い。
【００１６】
前記連結部材６は、前記パネル７を支柱５に対して適宜な角度位置に取付けるための部材であり、前記支柱５と略同一長さの寸法を有し、笠木３及び巾木４に対向する外側面に、長手方向に沿って上下に延びる凹溝６０を形成するとともに、前記支柱５の外周面５３に対して摺動する当接片６１を設け、更に、支柱外周方向に沿った端部にパネル側端部を固定するための凹部６２を形成した構造であり、前記支柱５と同様、アルミニウムの押出し成形品やスチール製の折り曲げ成形品で構成される。
【００１７】
前記パネル７は、本実施形態ではガラスパネルであり、図４にも示すように、断面略Ｌ字形の鉤片７１を突設したブラケット材７０を、両面テープ７４又はコーキング材にてパネル側端部に沿って装着したものであり、前記両面テープ７４を張り付けるブラケット材７０の接着面には気泡抜き用の凹溝７０ａが形成され、エア溜まりを防止して透明なガラスパネルの優れた外観性が維持されている。尚、ガラスパネル以外にスチールパネルやクロスパネル、その他のパネル、これらを適宜組合せたパネルを用いることもできる。
【００１８】
本発明を、図３〜７に基づいて更に詳細に説明する。
【００１９】
本発明の間仕切パネルにおけるパネル取付角度の調節構造は、天井と床面の間に支柱５を適宜離間して立設し、これら立設した支柱５、５間毎にパネル７を装着してなる間仕切パネルにおいて、前記支柱５に断面円弧状の外周面５３を形成するとともに、該外周面５３に対して周方向に位置変更可能に当接する連結部材６の当該支柱外周方向に沿った端部にパネル側端部７ｃを固定する凹部６２を形成し、前記連結部材６を前記支柱５の外周所定の角度位置にネジ止めし、前記凹部６２にパネル側端部７ｃを固定することにより連結部材６を介して当該パネル７を支柱間空間より外方位置にて所定の方向に取付けてなることを要旨としている。
【００２０】
前記支柱５は、前記支柱本体５０の上端及び下端のうち少なくとも一方に断面円弧状の内周面５２を備えた円筒形状の支持端部を形成し、天井及び床面の一方又は双方の所定位置に、前記略円筒形状の支持端部に内接するベース材８を固定しておき、該ベース材８を支持端部５０ａに受け入れて支柱５を支承し、所定の角度位置にて前記支持固定部５１を天井又は床面に係止することにより当該支柱５を回転不能に固定したものである。
【００２１】
前記ベース材８は、充分な強度を有する鉄等の中実の金属加工品或いは合成樹脂成形品で構成され、軸心部及び該軸心からズレた単又は複数部位に、天井又は床面に当該ベース材８をネジ止めするための貫通した縦孔がそれぞれ穿設され、前記軸心部を挟んで対向する外周位置には、前記支柱５の支持端部５０ａの内周面５２に内接する断面円弧状の部分接当面８１、８１が形成されている。即ち、前記ベース材８は、円柱形状から前記部分接当面８１、８１を除く両側をカットした略小判形状であり、前記軸心部の縦孔の中心を床面或いは天井に予め墨出しした既定点に位置合わせした上、これら縦孔にネジ８２、８２を挿通して所定の方向に固定される。
【００２２】
また、前記支柱５の支持固定部５１は、断面略コ字形に突出した両突出片間の内部に仕切板５１ａを渡設した構造であり、該仕切板５１ａに天井又は床面に固定されるネジ軸部に係合する係合凹部５５が形成され、図４に示すように、ネジ５６と前記係合凹部５５との係合により当該支持固定部５１が所定の角度位置にて天井又は床面に回転不能に係止され、これにより当該支柱５も所定の角度に固定される。前記支持固定部５１の両突出片先端には内方に屈曲した係止縁５１ｂ、５１ｂが形成されており、前記ネジ頭部を挾持する断面略コ字形のキャップ５９が前記係止縁５１ｂ、５１ｂに係止して装着される。
【００２３】
そして、前記支柱５に対するパネル取付角度の調節は、図３（ａ）に示すように、前記連結部材６を前記支柱５の外周所定の角度位置にネジ６３により固定することで行われ、具体的には、前記連結部材６に前記支柱５の外周面に対して摺動する当接片６１を設け、該当接片６１の摺動により当該連結部材６を前記外周面の所定の角度位置に設定するのであり、より詳しくは、前記支柱本体５０の外周壁に設けた凹溝５７の底面に前記当接片６１が摺動する外周面５３を構成し、当該外周面５３により前記当接片６１を凹溝５７内部の範囲内において周方向に沿って摺動案内することにより連結部材６を所定の角度位置に設定するのである。
【００２４】
本実施形態では、前記凹溝５７に隣接する外周壁にも断面円弧状の外周面５３を形成するとともに、前記連結部材６の支柱外周方向に沿った両端部に前記外周面５３に延びる支持片６４、６５を突設し、前記当接片６１を前記凹溝５７内で外周面５３に摺動させるとともに、該凹溝５７外の外周面５３に対して前記支持片６４、６５を摺動させることにより当該連結部材６が支柱本体５０の外周面上を安定して摺動案内されるのであり、前記支持片６４の屈曲した外側面に前記パネル側端部７ｃを固定する凹部６２が形成されている。尚、前記当接片６１又は支持片６４、６５が摺動する凹溝５７内部又は外部の外周面５３に縦縞の凹凸面を形成し、連結部材６を固定する角度の位置決め或いは下穴開けのドリル固定を容易にすることも好ましい実施例である。
【００２５】
そして、このように固定された連結部材６に対し、図３（ｂ）〜（ｄ）に示すように前記凹部６２にパネル側端部７ｃを固定することにより当該連結部材６を介して当該パネル７を支柱間空間より外方位置にて所定の方向に取付けるのである。このパネル側端部７ｃの支持は、前記連結部材６の凹部６２に前記ブラケット材７０の鉤片７１を合着させた上、前記取付具９でこれら凹部６２及び鉤片７１を挟み込むことにより前記ブラケット材７０と連結部材６を一体化する構造である。前記パネルを支持する凹部６２は、連結部材６の支柱外周方向に沿った両端部のうち前記支柱５を回転不能に係止する支持固定部５１と反対側の端部に設けられており、該支持固定部５１におけるネジ５６と前記係合凹部５５との係合は、支柱間空間より外方位置にパネル７を取付けた支柱５の当該パネル側への倒れを防止する支持手段としても機能する。
【００２６】
前記取付具９は、前記凹部６２及び鉤片７１を挾持する断面略コ字形の鉤状部９１とこれに連続した本体部９０とより構成された長尺なアルミニウムの押出し成形品であり、前記鉤状部９１を前記凹部６２及び鉤片７１に外嵌して一体化した後、前記本体部９０を前記連結部材６の凹溝６０内面に対してネジ９３で固定した上、前記凹溝６０と鉤状部９１との間にキャップ９４が装着される。前記キャップ９４は両端に係止片９４ａ、９４ｂを突設した断面略π字形の長尺成形品であり、これら係止片９４ａ、９４ｂを前記取付具９の本体部９０に設けた係合部９０ａ、９０ｂに係止して装着されている。
【００２７】
また、パネルの上下端部の支持は、前記連結部材６に固定した巾木４の下部支持片４１にパネル下端７ｂを支持させ、前記天レール１に外嵌した笠木３を上方に移動させて前記パネル７を支柱５に沿った立起状態とし、当該パネル上端７ａに対して前記笠木３を下ろして上部支持片３１を係合した後、該笠木３を連結部材６に固定する構造であり、前記笠木３及び巾木４に形成した前記嵌合溝３０、４０に端部よりそれぞれＬ字状に屈曲したアングル材３２、４２の一端側を嵌挿して固定し、各アングル材の他端側を連結部材６の凹溝６０内に係入して所定の上下位置でそれぞれネジ３３、４３により固定するものであり、パネル７を立起させる際に上方に移動する笠木３は、両端に設けた前記アングル材３２を左右の連結部材の凹溝６０、６０に係入した状態で上下にスライド可能に支持され、上部支持片３１をパネル上端７ａに係合した後、ネジ３３により凹溝６０内に固定するのである。このようにして連結部材６を介して取付けたパネル７の背面側の支柱間空間にはパネルが存在しない開放空間が形成されており、該空間にブラインド装置やカーテンを取付けることも好ましい実施例である。
【００２８】
図５は、上記の如くパネル７、７を支持している支柱５に、各部屋を区切る間仕切パネルＡをこれらパネル７、７に対して略直角の方向に支持した略Ｔ字形の接続部を示しており、前記支柱５の支持固定部５１に対し、各部屋に面するパネル１０７、１０７を両側面で支持する支柱１０５が、該支柱１０５を貫通したネジ１０３を前記支持固定部５１の仕切板５１ａに螺合して固定されている。
【００２９】
また、図６は、前記パネル７よりなる間仕切パネルの端部に他の間仕切パネルＢを略直角の方向に接続した略Ｌ字形の接続部を示しており、パネル７を支持する支柱５は、前記パネル７を側面で支持する断面略半円筒状の支持本体５０に、前記他の間仕切パネルの支柱１０５に対して連結杆１０１を介して接続される一対の接続片５１Ａ、５１Ａを突設したものであり、前記支持本体５０に連結部材６を介してパネル７を角度調節可能に支持する構造は上記と同様である。このように角度調節可能に支持するパネル７が一方向である場合は、断面略半円筒形の支持本体５０を構成すれば十分に機能するのである。このような連結杆１０１を用いた間仕切パネルの端部構造は、他の間仕切パネルＢに接続する場合に限らず、壁面に取付ける等の種々の端部処理に適用できる。
【００３０】
図７は、同じく各部屋を区切る間仕切パネルＡを略直角の方向に角度調節可能に支持した略Ｔ字形の接続部を示しており、パネル７を支持する支柱５は、前記パネル７を側面で支持する断面略半円筒状の支持本体５０に連続して、ドア付きの間仕切パネルＣ端部に断面略コ字形の連結杆１０１を介して接続される断面視略方形の支持固定部５１Ｂを設けたものであり、前記部屋を区切る間仕切パネルＡは、各部屋に面するパネル１０７、１０７を両側面で支持する支柱１０５が、前記ドア付きの間仕切パネルＣ端部に突設した断面円弧状の外周面１０６を有する支持杆１０４に対して角度調節可能に支持されている。
【００３１】
【発明の効果】
以上のように、本発明の間仕切パネルにおけるパネル取付角度の調節構造によれば、支柱に断面円弧状の外周面を形成するとともに、該外周面に対して周方向に位置変更可能に当接する連結部材の当該支柱外周方向に沿った端部にパネル側端部を固定する凹部を形成し、前記連結部材を前記支柱の外周所定の角度位置にネジ止めし、前記凹部にパネル側端部を固定することにより連結部材を介して当該パネルを支柱間空間より外方位置にて所定の方向に取付けてなるので、天井と床面の間に適宜離間して立設された支柱を枠体として、これら支柱間毎に現場にてパネルを容易且つ安定に装着でき、前記枠体としての支柱とパネル表面との間には段差が生じなく、パネル自体の優れた外観性が維持されるとともに、当該支柱に対するパネルの設置角を任意な方向に自由に決定でき、支柱同士を連結していた従来の連結具を設ける必要もない。
【００３２】
また、前記連結部材に前記支柱の外周面に対して摺動する当接片を設け、該当接片の摺動により当該連結部材を所定の角度位置に設定してなるので、角度位置設定を容易に行うことができる。
【００３３】
具体的には、前記支柱の外壁に設けた凹溝の底面に前記当接片が摺動する外周面を構成し、当該外周面により前記当接片を凹溝内において周方向に摺動案内してなるので、該凹溝により設定できる角度が規制され、パネル同士の干渉や連結部材と支持固定部との干渉が未然に防止されることから、パネルの支持を確実且つ容易に行うことができる。
【図面の簡単な説明】
【図１】本発明の実施形態に係る間仕切パネルを示す斜視図。
【図２】同じく間仕切パネルの分解斜視図。
【図３】（ａ）〜（ｄ）は、支柱に対し、連結部材を介してパネルを支柱間空間より外方位置にて所定の方向に取付ける手順を示す断面図。
【図４】パネルを支持した支柱を示す断面図。
【図５】部屋を区切る間仕切パネルを略直角方向に支持した接続部を示す断面図。
【図６】間仕切パネル端部に他の間仕切パネルを略直角方向に接続した接続部を示す断面図。
【図７】部屋を区切る間仕切パネルを略直角方向に支持した接続部の他の例を示す断面図。
【符号の説明】
１  天レール            ２  地レール
３  笠木                ４  巾木
５  支柱                ６  連結部材
７  パネル              ７ａ  上端
７ｂ  下端              ７ｃ  側端部
８  ベース材            ９  取付具
１１  上面板            １２  垂下板
１３  凹溝部            ２１  下面板
２２  立上板            ２３  凹溝部
２４  アジャスター脚    ３０  嵌合溝
３１  上部支持片        ３２  アングル材
３３  ネジ              ４０  嵌合溝
４１  下部支持片        ４２  アングル材
４３  ネジ              ５０  支持本体
５０ａ  支持端部        ５１  支持固定部
５１ａ  仕切板          ５１ｂ  係止縁
５１Ａ  接続片          ５１Ｂ  支持固定部
５２  内周面            ５３  外周面
５５  係合凹部          ５６  ネジ
５７  凹溝              ５９  キャップ
６０  凹溝              ６１  当接片
６２  凹部              ６３  ネジ
６４  支持片            ６５  支持片
７０  ブラケット材      ７０ａ  凹溝
７１  鉤片              ７４  両面テープ
８１  部分接当面        ８２  ネジ
９０  本体部            ９０ａ  係合部
９０ｂ  係合部          ９１  鉤状部
９３  ネジ              ９４  キャップ
９４ａ  係止片          ９４ｂ  係止片
１０１  連結杆          １０２  連結杆
１０３  ネジ            １０４  支持杆
１０５  支柱            １０６  外周面
１０７  パネル          Ａ、Ｂ、Ｃ  間仕切パネル
【図１】
2004211393.tif 000003
【図２】
2004211393.tif 000004
【図３】
2004211393.tif 000005
【図４】
2004211393.tif 000006
【図５】
2004211393.tif 000007
【図６】
2004211393.tif 000008
【図７】
2004211393.tif 000009